(57)【特許請求の範囲】
【請求項１】
光源システムであって、
発光装置と、分光システムとを備え、
前記発光装置は、時系列で出射する第１光と第２光とを供給し、
前記分光システムは、分光装置と、少なくとも２つの光通路とを備え、
前記分光装置は、前記第１光を第１原色光と第２原色光とに分け、前記第２光を２つの第３原色光に分け、第１時系列で前記第１原色光を第１光路に沿って出射し、前記第２原色光を第２光路に沿って出射し、第２時系列で前記第１原色光を前記第２光路に沿って出射し、前記第２原色光を前記第１光路に沿って出射し、第３時系列で前記２つの第３原色光をそれぞれ前記第１光路と前記第２光路に沿って出射し、
前記少なくとも２つの光通路は、それぞれ前記第１光路と前記第２光路に設けられ、それぞれの前記光通路は、時系列で前記第１原色光、前記第２原色光及び前記第３原色光を出射するために用いられることを特徴とする光源システム。
【請求項２】
前記発光装置は、励起光源と、波長変換装置とを備え、
前記励起光源は、励起光を生成し、
前記波長変換装置は、第１波長領域と第２波長領域とを含み、前記第１波長領域は、前記励起光に励起されて前記第１光を生成し、前記第２波長領域は、前記励起光に励起されて前記第２光を生成し、又は、前記励起光を透過して前記第２光を生成することを特徴とする請求項１に記載の光源システム。
【請求項３】
前記励起光源は、青色のレーザ光であり、前記第１波長領域は、黄色の蛍光材料が設けられ、前記第２波長領域は、光透過領域であることを特徴とする請求項２に記載の光源システム。
【請求項４】
前記分光装置は、色補正ホイールと、前記色補正ホイールを駆動する駆動装置とを備え、前記色補正ホイールは、前記色補正ホイールの周方向に沿って分布する第１原色領域、第２原色領域及び第３原色領域を含み、前記第１原色領域は、前記第１光を、少なくとも前記第１光路に沿って出射する第１原色光と、前記第２光路に沿って出射する第２原色光とに分け、前記第２原色領域は、前記第１光を、少なくとも前記第１光路に沿って出射する第２原色光と、前記第２光路に沿って出射する第１原色光とに分け、前記第３原色領域は、前記第２光を、少なくとも前記第１光路及び前記第２光路に沿って出射する２つの第３原色光に分けることを特徴とする請求項１に記載の光源システム。
【請求項５】
前記第３原色領域には、半反射半透過膜片又は偏光板が設けられていることを特徴とする請求項４に記載の光源システム。
【請求項６】
前記少なくとも２つの光通路は、第１光均一棒と、第２光均一棒とを備え、
前記第１光均一棒は、前記分光装置から前記第１光路に沿って出射された前記第１原色光、第２原色光及び第３原色光を均一化して時系列で出射し、
前記第２光均一棒は、前記分光装置から前記第２光路に沿って出射された前記第１原色光、第２原色光及び第３原色光を均一化して時系列で出射することを特徴とする請求項４に記載の光源システム。
【請求項７】
前記第１光均一棒は、前記第１光均一棒の光軸方向において間隔をあけて設けられる第１端面及び第２端面と、第１端面と第２端面との間に接続される複数の接続面とを含み、前記複数の接続面は、第１面を含み、前記第２光均一棒は、前記第２光均一棒の光軸方向において間隔をあけて設けられる第１端面及び第２端面と、第１端面と第２端面との間に接続される複数の接続面とを含み、前記複数の接続面は、第１面を含むことを特徴とする請求項６に記載の光源システム。
【請求項８】
前記第１光均一棒の第１端面と前記第２光均一棒の第１端面は、いずれも入光面であり、前記第１光均一棒の第２端面と前記第２光均一棒の第２端面は、いずれも出光面であり、前記第１光均一棒の第１端面と第２端面は、いずれも前記第１光均一棒の光軸に略垂直であり、前記第２光均一棒の第１端面と第２端面は、いずれも前記第２光均一棒の光軸に略垂直であることを特徴とする請求項７に記載の光源システム。
【請求項９】
前記第１光均一棒と前記第２光均一棒のうち、一方の光均一棒の第１端面は、光軸に対して所定の角度で傾斜して設けられ、且つ内部反射膜がメッキされており、前記一方の光均一棒の第１面の第１端面に近接する部分の領域は、入光面であり、前記入光面から入射された第１原色光、第２原色光及び第３原色光は、前記第１端面に反射されてから前記第１光路又は前記第２光路に沿って第２端面から出射されることを特徴とする請求項７に記載の光源システム。
【請求項１０】
前記第１光均一棒と前記第２光均一棒のうち、他方の光均一棒は、第１端面が入光面であり、第２端面が出光面であり、前記第１光均一棒の入光面と前記第２光均一棒の入光面とは、前記色補正ホイールに対して鏡像対称となることを特徴とする請求項９に記載の光源システム。
【請求項１１】
前記第１光均一棒と前記第２光均一棒は、いずれも中実角棒であり、又は、前記第１光均一棒と前記第２光均一棒のうち、一方の光均一棒は中実角棒であり、他方の光均一棒は中空角棒であることを特徴とする請求項７に記載の光源システム。
【請求項１２】
前記第１光均一棒の第１面は、前記第２光均一棒の第１面に当接し、且つ前記第１光均一棒の第１面と前記第２光均一棒の第１面とには、内部反射膜がメッキされており、又は、前記第１光均一棒と前記第２光均一棒のうち、前記中実角棒の第１面は、同時に前記中空角棒の第１面を構成することを特徴とする請求項１１に記載の光源システム。
【請求項１３】
前記分光システムは、少なくとも１つの反射鏡を備え、前記反射鏡は、前記分光装置から出射された前記第１原色光、前記第２原色光及び前記第３原色光を反射して前記第１光均一棒及び／又は前記第２光均一棒に入射させることを特徴とする請求項６に記載の光源システム。
【請求項１４】
前記第１光は、黄色光であり、前記第２光は、青色光であり、前記分光装置は、時系列で前記黄色光を、前記第１光路に沿って出射する赤色光と前記第２光路に沿って出射する緑色光、及び前記第１光路に沿って出射する緑色光と前記第２光路に沿って出射する赤色光に分け、前記青色光を前記第１光路と前記第２光路に沿って出射する２つの青色光に分けることを特徴とする請求項１乃至１３のいずれか１項に記載の光源システム。
【請求項１５】
投影システムであって、
請求項１乃至１４のいずれか１項に記載の光源システムと、空間光変調器とを備え、
前記空間光変調器は、各前記光通路から時系列で出射された前記第１原色光、前記第２原色光及び前記第３原色光をそれぞれ変調するように、少なくとも２つの領域を含むことを特徴とする投影システム。
【請求項１６】
前記分光システムは、３つの前記光通路を含み、前記空間光変調器は、各前記光通路から時系列で出射された前記第１原色光、第２原色光及び第３原色光をそれぞれ変調するように、対応的に３つの領域が設けられていることを特徴とする請求項１５に記載の投影システム。
【発明の詳細な説明】
【技術分野】
【０００１】
本発明は、投影表示分野に関し、特に光源システム及び当該光源システムを用いる投影システムに関する。
【背景技術】
【０００２】
ＤＬＰ（Ｄｉｇｉｔａｌ  Ｌｉｇｈｔ  Ｐｒｏｃｅｓｓｉｎｇ、デジタル光学処理技術）投影表示システムは、投影表示分野で広く応用され、そのコア部品がＤＭＤ（  Ｄｉｇｉｔａｌ  Ｍｉｃｒｏｍｉｒｒｏｒ  Ｄｅｖｉｃｅ、デジタル・マイクロミラー・デバイス）である。ＤＭＤは、１種の空間光変調器である。ＤＬＰ投影システムは、ＤＭＤの数によって、モノリシック空間光変調器投影システム、２板式空間光変調器投影システム及び３板式空間光変調器投影システムの３種類に分けることができる。
【０００３】
モノリシック空間光変調器投影システムは、一般に励起光源を用いて回動するカラーホイールに照射して時系列で出射する赤、緑、青の三原色光を生成し、時系列で出射する赤、緑、青の三原色光をＤＭＤへ投射して変調を行い、変調された単色光画像をスクリーン上で快速且つ交互に切り替え、人の目の視覚残留効果を利用して各時系列の単色光画像を一緒に混合して、カラー画像を形成する。赤、緑、青の三原色光が得られるように、カラーホイールに赤、緑、青の３種の色の蛍光粉が塗布されているが、赤色の蛍光粉の光変換効率が低く、黄色の蛍光から赤色光を切り取る効率よりも遥かに低い。
【０００４】
現在、黄色の蛍光から赤色光を得る方法は、通常、２板式空間光変調器投影システムと３板式空間光変調器投影システムに用いられるが、これらの投影システムの構成が大きく、作製プロセスが複雑であり、価格が高い。この方法が従来のモノリシック空間光変調器投影システムに用いられるとき、黄色の蛍光から赤色光と緑色光を得て、赤色光がＤＭＤに出射すると、緑色光がカラーホイールに反射されて損失され、緑色光がＤＭＤに出射すると、赤色光がカラーホイールに反射されて損失され、光エネルギーの利用率が低い。
【発明の概要】
【発明が解決しようとする課題】
【０００５】
上記事情に鑑みて、本発明は、光エネルギーの利用率が高い光源システムと投影システムを提供する。
【課題を解決するための手段】
【０００６】
本発明は、光源システムを提供する。当該光源システムは、発光装置と、分光システムとを備え、前記発光装置は、時系列で出射する第１光と第２光とを供給し、前記分光システムは、分光装置と、少なくとも２つの光通路とを備え、前記分光装置は、前記第１光を第１原色光と第２原色光とに分け、前記第２光を２つの第３原色光に分け、第１時系列で前記第１原色光を第１光路に沿って出射し、前記第２原色光を第２光路に沿って出射し、第２時系列で前記第１原色光を前記第２光路に沿って出射し、前記第２原色光を前記第１光路に沿って出射し、第３時系列で前記２つの第３原色光をそれぞれ前記第１光路と前記第２光路に沿って出射し、前記少なくとも２つの光通路は、それぞれ前記第１光路と前記第２光路に設けられ、それぞれの前記光通路は、時系列で前記第１原色光、前記第２原色光及び前記第３原色光を出射するために用いられる。
【０００７】
１つの実施形態では、前記発光装置は、励起光源と、波長変換装置とを備え、前記励起光源は、励起光を生成し、前記波長変換装置は、第１波長領域と第２波長領域とを含み、前記第１波長領域は、前記励起光に励起されて前記第１光を生成し、前記第２波長領域は、前記励起光に励起されて前記第２光を生成し、又は、前記励起光を透過して前記第２光を生成する。
【０００８】
１つの実施形態では、前記励起光源は、青色のレーザ光であり、前記第１波長領域は、黄色の蛍光材料が設けられ、前記第２波長領域は、光透過領域である。
【０００９】
１つの実施形態では、前記分光装置は、色補正ホイールと、前記色補正ホイールを駆動する駆動装置とを備え、前記色補正ホイールは、前記色補正ホイールの周方向に沿って分布する第１原色領域、第２原色領域及び第３原色領域を含み、前記第１原色領域は、前記第１光を、少なくとも前記第１光路に沿って出射する第１原色光と、前記第２光路に沿って出射する第２原色光とに分け、前記第２原色領域は、前記第１光を、少なくとも前記第１光路に沿って出射する第２原色光と、前記第２光路に沿って出射する第１原色光とに分け、前記第３原色領域は、前記第２光を、少なくとも前記第１光路及び第２光路に沿って出射する２つの第３原色光に分ける。
【００１０】
１つの実施形態では、前記第３原色領域には、半反射半透過膜片又は偏光板が設けられている。
【００１１】
１つの実施形態では、前記少なくとも２つの光通路は、第１光均一棒と、第２光均一棒とを備え、
前記第１光均一棒は、前記分光装置から前記第１光路に沿って出射される前記第１原色光、第２原色光及び第３原色光を均一化して、時系列で出射し、
前記第２光均一棒は、前記分光装置から前記第２光路に沿って出射される前記第１原色光、第２原色光及び第３原色光を均一化して時系列で出射する。
【００１２】
１つの実施形態では、前記第１光均一棒は、第１光均一棒の光軸方向において間隔をあけて設けられる第１端面及び第２端面と、第１端面と第２端面との間に接続される複数の接続面とを含み、前記複数の接続面は、第１面を含み、前記第２光均一棒は、第２光均一棒の光軸方向において間隔をあけて設けられる第１端面及び第２端面と、第１端面と第２端面との間に接続される複数の接続面とを含み、前記複数の接続面は、第１面を含む。
【００１３】
１つの実施形態では、前記第１光均一棒の第１端面と第２光均一棒の第１端面は、いずれも入光面であり、第１光均一棒の第２端面と第２光均一棒の第２端面は、いずれも出光面であり、前記第１光均一棒の第１端面と第２端面は、いずれも第１光均一棒の光軸に略垂直であり、前記第２光均一棒の第１端面と第２端面は、いずれも第２光均一棒の光軸に略垂直である。
【００１４】
１つの実施形態では、第１光均一棒と第２光均一棒のうち、一方の光均一棒の第１端面は、光軸に対して所定の角度で傾斜して設けられ、且つ内部反射膜がメッキされており、前記一方の光均一棒の第１面の第１端面に近接する部分の領域は、入光面であり、前記入光面から入射された第１原色光、第２原色光及び第３原色光は、前記第１端面に反射されてから前記第１光路又は第２光路に沿って第２端面から出射される。
【００１５】
１つの実施形態では、第１光均一棒と第２光均一棒のうち、他方の光均一棒は、第１端面が入光面であり、第２端面が出光面であり、第１光均一棒の入光面と第２光均一棒の入光面とは、前記色補正ホイールに対して鏡像対称となる。
【００１６】
１つの実施形態では、前記第１光均一棒と前記第２光均一棒は、いずれも中実角棒であり、又は前記第１光均一棒と前記第２光均一棒のうち、一方の光均一棒は中実角棒であり、他方の光均一棒は中空角棒である。
【００１７】
１つの実施形態では、第１光均一棒の第１面は、第２光均一棒の第１面に当接し、且つ前記第１光均一棒の第１面と前記第２光均一棒の第１面とには、内部反射膜がメッキされており、又は、前記第１光均一棒と前記第２光均一棒のうち、前記中実角棒の第１面は、同時に前記中空角棒の第１面を構成する。
【００１８】
１つの実施形態では、前記分光システムは、少なくとも１つの反射鏡を備え、前記反射鏡は、前記分光装置から出射された前記第１原色光、前記第２原色光及び前記第３原色光を反射して前記第１光均一棒及び／又は第２光均一棒に入射させる。
【００１９】
１つの実施形態では、前記第１光は、黄色光であり、前記第２光は、青色光であり、前記分光装置は、時系列で前記黄色光を、第１光路に沿って出射する赤色光と第２光路に沿って出射する緑色光、及び第１光路に沿って出射する緑色光と第２光路に沿って出射する赤色光に分け、前記青色光を第１光路と第２光路に沿って出射する２つの青色光に分ける。
【００２０】
本発明は投影システムを提供する。前記投影システムは、上述した光源システムと、空間光変調器とを備え、前記空間光変調器は、各前記光通路から時系列で出射された前記第１原色光、前記第２原色光及び前記第３原色光をそれぞれ変調するように、少なくとも２つの領域を含む。
【００２１】
１つの実施形態では、前記分光システムは、３つの前記光通路を含み、前記空間光変調器は、各前記光通路から時系列で出射された前記第１原色光、第２原色光及び第３原色光をそれぞれ変調するように、対応的に３つの領域が設けられている。
【発明の効果】
【００２２】
本発明の実施例に係る投影システムのメリットは、下記のようになる。少なくとも２つの光通路が設けられ、単一の空間光変調器が同一の時点で少なくとも２つの入射光を変調可能であるため、反射光を回収することができ、分光装置の分光時の光損失を回避して、光エネルギーの利用率を向上させ、且つ当該投影システムは、構造体積が小さく、コストが低い。
【図面の簡単な説明】
【００２３】
【図１】本発明の実施例１の投影システムのブロック模式図である。
【図２】本発明の実施例１の波長変換装置の構成模式図である。
【図３】本発明の実施例１の分光装置の構成模式図である。
【図４】本発明の実施例１の色補正ホイールの構成模式図である。
【図５】本発明の実施例１の投影システムの１種の具体的な構成模式図である。
【図６】本発明の実施例１の空間光変調器の時系列の出光図である。
【図７】本発明の他の実施例における空間光変調器の時系列の出光図である。
【図８】図５のＶＩＩＩ部分の拡大模式図である。
【図９】本発明の実施例２の投影システムの構成模式図である。
【図１０】図９のＸ部分の拡大模式図である。
【図１１】本発明の実施例３の投影システムの構成模式図である。
【図１２】図１１のＸＩＩ部分の拡大模式図である。
【図１３】図１１の第１光均一棒と第２光均一棒の図１１におけるＸＩＩＩ-ＸＩＩＩに沿った組み合わせ断面模式図である。
【図１４】本発明の実施例４の投影システムの構成模式図である。
【図１５】本発明の実施例５の投影システムの構成模式図である。
【発明を実施するための形態】
【００２４】
以下、本発明の実施例における図面を参照して本発明の実施例における技術案を明らかに、完全に説明する。明らかに、説明される実施例は、本発明の一部の実施例に過ぎず、全ての実施例ではない。本発明における実施例に基づき、当業者が創造的な労力を要さずに想到し得る他の実施例は、全て本発明の保護範囲に含まれる。本明細書で使用される技術や科学用語は、特に断りがない限り、当業者に一般的に理解されるものと同義である。明細書で使用される用語“又は/及び”は一つ又は複数の関連する列挙された項目の任意の及び全ての組み合わせを含む。
【００２５】
＜実施例１＞
図１に示すように、図１は本発明の実施例１に係る投影システムのブロック模式図である。当該投影システムは、発光装置１０、分光システム１１及び空間光変調器１２を備える。前記発光装置１０と分光システム１１とは、ともに光源システムを構成し、前記発光装置１０は、時系列で出射する第１光と第２光とを供給し、前記分光システム１１は、第１光及び第２光をそれぞれ少なくとも２つの原色光に分け、前記原色光をそれぞれ空間光変調器１２の対応的な領域に導いて出射し、前記空間光変調器１２は、前記原色光を変調して、所望のカラー画像を取得する。
【００２６】
前記発光装置１０は、励起光源と波長変換装置とを備え、励起光源は、励起光を生成し、波長変換装置は、前記励起光に励起され、又は前記励起光を透過して、時系列で出射する第１光と第２光とを生成する。図２を参照すると、図２は、発光装置１０の波長変換装置の構成模式図である。本実施例では、前記波長変換装置１０１は、蛍光カラーホイールであり、円盤状をなし、蛍光カラーホイールの周方向に沿って分布する第１波長領域１０２と第２波長領域１０３とを含み、第１波長領域１０２は、前記励起光に励起されて前記第１光を生成し、第２波長領域１０３は、前記励起光に励起されて前記第２光を生成し、又は前記励起光を透過して前記第２光を生成する。
【００２７】
本実施例では、励起光源は、青色のレーザ光であり、蛍光カラーホイールの第１波長領域１０２には、波長変換材料が設けられ、例えば、黄色蛍光粉が設けられ、第２波長領域１０３は光透過領域であり、当該光透過領域は、青色のレーザ光を透過することができる。蛍光カラーホイールは、周期的に回動し、励起光が第１波長領域１０２に照射すると、青色のレーザ光は、黄色蛍光粉に吸収されて黄色蛍光粉を励起して黄色光を生成し、この黄色光は第１光であり、励起光が第２波長領域１０３に照射すると、青色のレーザ光は透過出射し、この青色光は第２光である。無論、励起光源は、青色のレーザ光に限らず、他の色のレーザ光又はＬＥＤなどの他の光源であってもよい。
【００２８】
図３を参照すると、図３は分光システム１１の分光装置の構成模式図である。分光システム１１は、分光装置１１１と少なくとも２つの光通路とを備える（図３に図示せず）。分光装置１１１は、前記第１光分を第１原色光と第２原色光とに分け、前記第２光を少なくとも２つの第３原色光に分ける。それぞれの前記光通路は、時系列で前記第１原色光、前記第２原色光及び前記第３原色光を出射する。分光装置１１１は、色補正ホイール１１２と、前記色補正ホイール１１２を駆動する駆動装置１１３とを備え、前記色補正ホイール１１２は、円盤状をなす。
【００２９】
具体的に、図４を参照すると、図４は、色補正ホイール１１２の１種の構成模式図である。色補正ホイール１１２は、前記色補正ホイール１１２の周方向に沿って分布する第１原色領域１１４、第２原色領域１１５及び第３原色領域１１６を含み、前記第１原色領域１１４は、前記第１光を、第１光路に沿って出射する第１原色光と第２光路に沿って出射する第２原色光とに分け、本実施形態では、前記第１原色領域１１４は、前記第１原色光を透過して前記第２原色光を反射し、前記第１原色光と第２原色光とは、それぞれ第１光路と第２光路に沿って最終的に前記空間光変調器１２に出射し、前記第２原色領域１１５は、前記第１光を、第２光路に沿って出射する第１原色光と、第１光路に沿って出射する第２原色光とに分け、本実施形態では、前記第２原色領域は、前記第２原色光を透過して前記第１原色光を反射し、前記第２原色光と第１原色光とは、それぞれ第１光路と第２光路に沿って最終的に前記空間光変調器１２に出射し、前記第３原色領域１１６は、前記第２光を、それぞれ第１光路及び第２光路に沿って出射する２つの第３原色光に分け、本実施形態では、前記第３原色領域は、前記２つの第３原色光を透過反射し、前記２つの第３原色光は、それぞれ第１光路と第２光路に沿って最終的に前記空間光変調器１２に出射する。
【００３０】
本実施形態では、色補正ホイール１１２は、蛍光カラーホイールと同期し、蛍光カラーホイールの第１波長領域１０２は、色補正ホイール１１２の第１原色領域１１４及び第２原色領域１１５に対応し、蛍光カラーホイールの第２波長領域１０３は、色補正ホイール１１２の第３原色領域１１６に対応し、即ち、蛍光カラーホイールの第１波長領域１０２が励起されて黄色光を生成するとき、黄色光が色補正ホイール１１２の第１原色領域１１４に入射され、黄色光が赤色光と緑色光に分けられ、そして、赤色光は、前記第１原色領域１１４で透過されて第１光路に設けられる光通路に沿って空間光変調器１２の第１領域に送られ、赤色光は前記第１原色光であり、緑色光は、前記第１原色領域１１４で反射されて第２光路に設けられる光通路に沿って空間光変調器１２の第２領域に送られ、緑色光は第２原色光である。色補正ホイール１１２は、駆動装置１１３による駆動で下へ第２原色領域１１５まで回動すると、緑色光は、前記第２原色領域１１５で透過されて前記第１光路における光通路に沿って空間光変調器１２の前記第１領域に送られ、赤色光は、前記第２原色領域１１５で反射されて前記第２光路における光通路に沿って空間光変調器１２の前記第２領域に送られる。蛍光カラーホイールの第２波長領域１０３が青色のレーザ光を透過するとき、色補正ホイール１１２は、駆動装置１１３による駆動で下へ第３原色領域１１６に回動し、前記第３原色領域１１６には、色補正シートが設けられ、前記色補正シートは、半反射半透過膜片又は偏光板であり、青色光は、前記第３原色領域１１６で一部が透過され、他の一部が反射され、透過された青色光は、前記第１光路における光通路に沿って空間光変調器１２の前記第１領域に送られ、反射された青色光は、前記第２光路における光通路に沿って空間光変調器１２の前記第２領域に送られ、青色光は第３原色光である。
【００３１】
このように、黄色蛍光粉の光変換効率が高いため、青色のレーザ光が黄色蛍光粉を励起して黄色光を生成し、黄色光を赤色光と緑色光とに分け、そして、青色のレーザ光、即ち青色光と、赤、緑、青の３種の原色光を構成して、時系列で空間光変調器１２に出射し、光変換効率の低い赤色蛍光粉から赤色光を得る必要がなく、光エネルギーの利用率を向上させる。一方で、色補正ホイール１１２に反射される光は、前記他方の光通路により、空間光変調器１２に回収されて出射することができ、分光時の光の損失を回避し、光エネルギーの利用率を向上させる。
【００３２】
無論、第１原色光、第２原色光、第３原色光は、それぞれ赤色光、緑色光、青色光であることに限らず、本実施形態は、これを例のみとして説明し、第１原色光、第２原色光、第３原色光は、それぞれ緑色光、赤色光、青色光であり、又は赤緑青色光の他の組み合わせ方式であってもよい。第１光と第２光は、それぞれ黄色光と青色光であることにも限らず、分光により赤、緑、青の３種の原色光を得ることができればよい。以下、便宜上、第１光及び第２光として、いずれも黄色光と青色光を例とし、第１原色光、第２原色光、及び第３原色光としては、赤色光、緑色光、及び青色光を例とする。
【００３３】
図５を参照すると、図５は、図１に示す投影システムの１種の具体的な構成の模式図である。本実施形態では、分光システム１１は、２つの光通路を含み、２つの光通路は、それぞれ第１光路と第２光路に位置し、対応的に、空間光変調器１２は、２つの領域、即ち第１領域１２１と第２領域１２２とを含み、１つの実施形態では、第１領域１２１は、左側に位置し、左辺領域と称され、第２領域は右側に位置し、右辺領域と称される。他の実施形態では、第１領域１２１と第２領域１２２との位置関係は、これに限らず、他の位置関係であってもよく、例えば、そのうちの一方は、上側に位置し、他方は、下側に位置する。分光システム１１の２つの光通路は、それぞれ第１光均一棒１１７と第２光均一棒１１８を備える。第１光均一棒１１７は、前記第１光路に設けられ、第２光均一棒１１８は、前記第２光路に設けられている。本実施例では、第１光均一棒１１７と第２光均一棒１１８とはいずれも角棒であり、即ち、その主体部分のその自体の光軸に垂直な断面は、方形状をなし、前記第１光均一棒１１７と第２光均一棒１１８の主体部分のその自体の光軸に垂直な断面は、他の四角形、例えば、ひし形であってもよい。前記第１光均一棒１１７は、前記分光装置１１１に反射される前記第１原色光、前記第２原色光及び前記第３原色光を均一化して時系列で前記空間光変調器１２に出射させる。前記第２光均一棒１１８は、前記分光装置１１１に透過される前記第１原色光、前記第２原色光及び前記第３原色光を均一化して時系列で前記空間光変調器１２に出射させる。
【００３４】
本実施例では、第１光均一棒１１７と第２光均一棒１１８とは、それぞれの光軸方向に略直方体状をなす。被励起光である黄色光が色補正ホイール１１２の第１原色光領域を通るとき、赤色光は、透過され、緑色光は、反射回収され、そして、当該赤色光は、第２光均一棒１１８によって均一化されて空間光変調器１２の第１領域１２１に出射し、当該緑色光は、第１光均一棒１１７に反射されて、第１光均一棒１１７に均一化されてから、空間光変調器１２の第２領域１２２に出射する。被励起光である黄色光が色補正ホイール１１２の第２原色光領域を通るとき、緑色光は、透過され、赤色光は反射回収され、ここで、当該緑色光は、第２光均一棒１１８に均一化されて空間光変調器１２の左辺領域１２１に出射し、当該赤色光は、第１光均一棒１１７に反射されて第１光均一棒１１７に均一化されてから、空間光変調器１２の第２領域１２２に出射する。青色光が第３原色光領域を通るとき、一部は透過され、他の一部は反射され、ここで、透過された青色光は、第２光均一棒１１８に均一化されて空間光変調器１２の第１領域１２１に出射し、他の青色光は、第１光均一棒１１７に反射されて第１光均一棒１１７に均一化されてから空間光変調器１２の第２領域１２２に出射する。
【００３５】
図６に示すように、図６は空間光変調器１２の時系列出光図である。発光装置１０が黄色光を出射するとき、空間光変調器１２の２つの領域に同時に赤色光と緑色光が現れ、発光装置１０が青色光を出射するとき、空間光変調器１２の２つの領域に同時に青色光が現れる。空間光変調器１２の第１領域１２１で時系列で出射する光は、ＲＧＢＲＧＢ…であり、空間光変調器１２の第２領域１２２で時系列で出射する光は、ＧＲＢＧＲＢ…であり、ここで、Ｒは赤色光（ｒｅｄ）を示し、Ｇは緑色光（ＧＲｅｅｎ）を示し、Ｂは青色光(ｂｌｕｅ)を示す。
【００３６】
図７に示すように、図７は、他の実施例における空間光変調器の時系列出光図である。前記実施形態では、分光システムは、３つの光通路を含み、即ち、３つの光均一棒が設けられ、対応的に、３つの光通路から出射された三原色の時系列光を受け取るために、空間光変調器は、３つの領域を含み、空間光変調器の領域で時系列で出射された光は、ＲＧＢＲＧＢ…であり、ＧＲＢＧＲＢ…であり、ＲＧＢＲＧＢ…である。具体的に、分光システムは、色補正ホイール、第１光均一棒、第２光均一棒、第３光均一棒、分光鏡及び反射鏡を備え、色補正ホイールは、第１原色領域、第２原色領域及び第３原色領域を備え、分光鏡に半透過半反射膜がメッキされ、蛍光カラーホイールの第１波長領域は、色補正ホイールの第１原色領域と第２原色領域に対応し、蛍光カラーホイールの第２波長領域は、色補正ホイールの第３原色領域に対応し、蛍光カラーホイールの第１波長領域が励起されて黄色光を生成するとき、黄色光は、色補正ホイールの第１原色領域に入射され、黄色光は、赤色光と緑色光とに分けられ、緑色光は、第１原色領域で第２光均一棒に透過され、赤色光は、第１原色領域で分光鏡に反射され、半分の赤色光は分光鏡において第１光均一棒に反射され、他の半分の赤色光は、分光鏡に透過されて、反射鏡によって第３光均一棒に反射され、黄色光が第２原色領域に入射されるとき、黄色光は、赤色光と緑色光とに分けられ、赤色光は、第２原色領域で第２光均一棒に透過され、緑色光は、第１原色領域で分光鏡に反射され、半分の緑色光は、分光鏡において第１光均一棒に反射され、他の半分の緑色光は、分光鏡において透過され、反射鏡によって第３光均一棒に反射され、蛍光カラーホイールの第２波長領域が青色のレーザ光を透過するとき、色補正ホイールは、駆動装置による駆動で下へ第３原色領域に回動し、第３原色領域には、半反射半透過膜片又は偏光板が設けられ、青色光は、前記第３原色領域で、一部が透過され、他の一部が反射され、透過された青色光は、第２光均一棒に入射され、反射された青色光は、第１原色領域で分光鏡に反射され、半分の青色光は、分光鏡において第１光均一棒に反射され、他の半分の青色光は、分光鏡において透過されて、反射鏡によって第３光均一棒に反射され、ここで、空間光変調器の３つの領域は、それぞれ第１光均一棒、第２光均一棒及び第３光均一棒の出射する三原色時系列光を受け取る。
【００３７】
他の実施形態では、原色光を複数に分けるように、分光装置は、色補正ホイール、複数の分光鏡、反射鏡を備えてもよく、対応的に、同時に複数の光通路から出射された原色光を変調するために、空間光変調器は、複数の領域を含むことができ、それぞれの前記光通路は、時系列で前記第１原色光、前記第２原色光及び前記第３原色光を出射する。
【００３８】
図８を参照すると、図８は、図５のＶＩＩＩ部分の拡大模式図である。具体的に、第１光均一棒１１７は、複数の接続面である第１面１１ａ、第２面１１ｂ、第３面１１ｃ、第４面(図８に図示せず)を含み、前記第１光均一棒１１７は、第１端面１１ｄ及び第２端面１１ｅをさらに含む。前記第１端面１１ｄと前記第２端面１１ｅとは、第１光均一棒１１７の光軸方向に沿って間隔をあけて設けられ、前記第１面１１ａ、第２面１１ｂ、第３面１１ｃ及び第４面は、第１端面１１ｄと第２端面１１ｅとの間に接続され、第１面１１ａと第２面１１ｂとは背向し、第３面１１ｃと第４面とは背向し、第１面１１ａは、第３面１１ｃ及び第４面に交差し、第２面１１ｂも、第３面１１ｃ及び第４面に交差する。
【００３９】
第２光均一棒１１８は、複数の接続面である第１面１１ｆ、第２面１１ｇ、第３面１１ｈ、第４面(図８に図示せず)を含み、前記第２光均一棒１１８は、第１端面１１ｉと第２端面１１ｊとをさらに含む。前記第１端面１１ｉと前記第２端面１１ｊとは、第２光均一棒１１８の光軸方向に間隔をあけて設けられ、前記第１面１１ｆ、第２面１１ｇ、第３面１１ｈ及び第４面は、第１端面１１ｉと第２端面１１ｊとの間に接続され、第１面１１ｆと第２面１１ｇとは、背向し、第３面１１ｈと第４面とは、背向し、第１面１１ｆは、第３面１１ｈ及び第４面に交差し、第２面１１ｇも、第３面１１ｈ及び第４面に交差する。
【００４０】
本実施例では、第１光均一棒１１７の第１端面１１ｄと第２端面１１ｅとは、いずれも第１光均一棒１１７の光軸に略垂直であり、第２光均一棒１１８の第１端面１１ｉと第２端面１１ｊとは、いずれも第２光均一棒１１８の光軸に略垂直であり、第１光均一棒１１７の第１端面１１ｄと第２光均一棒１１８の第１端面１１ｉとは、面一となり、第１光均一棒１１７の第２端面１１ｅと第２光均一棒１１８の第２端面１１ｊとは面一となっている。第１光均一棒１１７の第１端面１１ｄは入光面であり、第２端１１ｅは出光面である。第２光均一棒１１８の第１端１１ｉは入光面であり、第２端１１ｊは出光面である。色補正ホイール１１２は、第１光均一棒１１７及び第２光均一棒１１８の光軸に対して一定の角度で傾斜して設けられ、色補正ホイール１１２と第２光均一棒１１８の光路との間に第１反射鏡１１９が設けられ、黄色光が色補正ホイール１１２の第１原色光領域に入射されたとき、赤色光は、第２光均一棒１１８に透過され、緑色光は、第１原色光領域によって第１反射鏡１１９に反射されて、第１反射鏡１１９によって第１光均一棒１１７に反射される。
【００４１】
第１光均一棒１１７と第２光均一棒１１８は、いずれも中実角棒であり、第１光均一棒１１７と第２光均一棒１１８とは、接合して一体となっている。第１光均一棒１１７の第１面１１ａは、第２光均一棒１１８の第１面１１ｆに当接し、第１光均一棒１１７の第１面１１ａと第２光均一棒１１８の第１面１１ｆとには、それぞれ内部反射膜がメッキされている。これにより、第１光均一棒１１７と第２光均一棒１１８が合わせるとき、第１光均一棒１１７の第１面１１ａと第２光均一棒１１８の第１面１１ｆとの間に空気が押し出されることにより、全反射が破壊されることを防止することができる。なお、２つの中実棒が接合させると、接合スリットが生じることが避けられず、２つの中実棒の接合面の加工精度が足りなければ、接合面のスリットを大きくし、結像効果を影響するため、第１光均一棒１１７の第１面１１ａと第２光均一棒１１８の第１面１１ｆには、それぞれ内部反射膜がメッキされることで、接合スリットによる影響を減少することができる。
【００４２】
再び図５を参照すると、一部の実施形態では、前記分光システム１１と前記空間光変調器１２との間に、光学システム１３が設けられている。具体的に、光学システム１３は、１つの平凸レンズ１３１と２つの両凸レンズ１３２との組み合わせであってもよい。第１光均一棒１１７と第２光均一棒１１８とから出射する原色光は、光学システム１３によって空間光変調器１２の２つの領域に出力される。
【００４３】
＜実施例２＞
図９に示すように、図９は、本発明の実施例２に係る投影システムの構成模式図である。本実施例では、当該投影システムは、発光装置（図９に図示せず）、分光システム２１及び空間光変調器２２を備える。当該発光装置は、時系列で出射する第１光と第２光を供給する。当該分光システム２１は、分光装置２１１、第１光路に設けられる第１光均一棒２１４、及び第２光路に設けられる第２光均一棒２１５を備える。当該分光装置２１１は、色補正ホイール２１２と、色補正ホイール２１２を駆動する駆動装置２１３とを備える。前記分光装置２１１は、前記第１光を第１原色光と第２原色光とに分け、前記分光装置２１１は、さらに前記第２光を少なくとも２つの第３原色光に分ける。第１光均一棒２１４と第２光均一棒２１５とは、それぞれ２つの光通路を形成する。２つの光通路から時系列で出射される第１原色光、第２原色光及び第３原色光をそれぞれ変調するために、空間光変調器２２は、２つの領域を備える。
【００４４】
図１０を参照すると、図１０は、図９の投影システムのＸ部分の拡大模式図である。本実施形態では、第１光均一棒２１４と第２光均一棒２１５は、いずれも角棒であるが、第１光均一棒２１４の構成は、実施例１における第１光均一棒と異なり、第１光均一棒２１４は、複数の接続面である第１面２１ａ、第２面２１ｂ、第３面２１ｃ、第４面(図１０に図示せず)を含み、前記第１光均一棒２１４は、第１端面２１ｄ及び第２端面２１ｅをさらに含む。前記第１端面２１ｄと前記第２端面２１ｅとは、第１光均一棒２１４の光軸方向に沿って間隔をあけて設けられ、前記第１面２１ａ、第２面２１ｂ、第３面２１ｃ及び第４面は、第１端面２１ｄと第２端面２１ｅとの間に接続され、そして、第１面２１ａと第２面２１ｂとは背向し、第３面２１ｃと第４面とは背向し、第１面２１ａは、第３面２１ｃ及び第４面相交と交差し、第２面２１ｂも、第３面２１ｃ及び第４面と交差する。
【００４５】
第２光均一棒２１５は、複数の接続面である第１面２１ｆ、第２面２１ｇ、第３面２１ｈ、第４面(図１０に図示せず)を含み、前記第２光均一棒２１５は、第１端面２１ｉ及び第２端面２１ｊを含む。前記第１端面２１ｉと前記第２端面２１ｊとは、第２光均一棒２１５の光軸方向に沿って間隔をあけて設けられ、前記第１面２１ｆ、第２面２１ｇ、第３面２１ｈ及び第４面は、第１端面２１ｉと第２端面２１ｊとの間に接続され、そして、第１面２１ｆと第２面２１ｇとは背向し、第３面２１ｈと第４面とは背向し、第１面２１ｆは、第３面２１ｈ及び第４面に交差し、第２面２１ｇも第３面２１ｈ及び第４面に交差する。
【００４６】
本実施例では、第１光均一棒２１４の第２端面２１ｅは、第１光均一棒２１４の光軸に略垂直であり、第２光均一棒２１５の第１端面２１ｉと第２端面２１ｊとは、いずれも第２光均一棒２１５の光軸に略垂直であり、第１光均一棒２１４の第２端面２１ｅと第２光均一棒２１５の第２端面２１ｊとは面一し、第１光均一棒２１４の第１面２１ａの長さは、第２面２１ｂよりも長く、且つ、第２光均一棒２１５の第１面２１ｆよりも長いことにより、第１光均一棒２１４の第１端面２１ｄは、第１光均一棒２１４の光軸に対して一定の角度で傾斜し、且つ第１光均一棒２１４の第１端面２１ｄは、第２光均一棒２１５の第１端面２１ｉに対して発光装置に向けて突出して設けられている。本実施例では、第１光均一棒２１４の第１面２１ａの第２光均一棒２１５の第１面２１ｆから張り出す部分に第１入光面２１ｋが形成され、第２光均一棒２１５の第１端面２１ｉは第２入光面であり、前記第１入光面２１ｋと前記第２入光面とは、前記色補正ホイール２１２に対して鏡像対称となる。このように、同一の光源では、第１光均一棒２１４の光路と第２光均一棒２１５の光路は一致し、効率を向上させることができる。
【００４７】
第１光均一棒２１４の第１端面２１ｄは斜面であり、前記第１端面２１ｄに内部反射膜がメッキされている。色補正ホイール２１２に透過される原色光は、第２入光面から第２光均一棒２１５に入射して均一化され、第２光均一棒２１５の第２端面２１ｊから空間光変調器２２に出射される。色補正ホイール２１２に反射された原色光は、第１入光面２１ｋから第１光均一棒２１４に入射され、第１光均一棒２１４の第１端面２１ｄに反射され、最後に第１光均一棒２１４の第２端面２１ｅから空間光変調器２２に出射される。本実施例の投影システムの他の構成について、詳述せず、実施例１の投影システムを参照すればよい。
【００４８】
＜実施例３＞
図１１と図１２に示すように、図１１は、本発明の実施例３の投影システムの構成模式図であり、図１２は図１１の投影システムのＸＩＩ部分の拡大模式図である。本実施例では、当該投影システムは、発光装置（図１１に図示せず）、分光システム３１及び空間光変調器３２を備える。当該発光装置は、時系列で出射する第１光と第２光とを供給する。当該分光システム３１は、分光装置３１１、第１光路に設けられる第１光均一棒３１２、第２光路に設けられる第２光均一棒３１３を備える。当該分光装置３１１は、色補正ホイール３１４と、色補正ホイール３１４を駆動する駆動装置３１５とを備える。前記分光装置３１１は、前記第１光を第１原色光と第２原色光とに分け、前記分光装置３１１は、さらに前記第２光を少なくとも２つの第３原色光に分ける。第１光均一棒３１２と第２光均一棒３１３とは、それぞれ２つの光通路を形成する。２つの光通路から時系列で出射する第１原色光、第２原色光及び第３原色光をそれぞれ変調するために、空間光変調器３２は、２つの領域を備える。
【００４９】
本実施形態では、第１光均一棒３１２と第２光均一棒３１３とは、いずれも角棒であり、その構成は、実施例１における第１、第２光均一棒と異なり、本実施例では、第１光均一棒３１２は中空角棒であり、第２光均一棒３１３は中実角棒である。色補正ホイール３１４に透過される原色光は、第１反射鏡３１８によって第２光均一棒３１３に反射される。色補正ホイール３１４で反射された原色光は、第２反射鏡３１９によって第１光均一棒３１２に反射される。
【００５０】
本実施例では、第１光均一棒３１２は、複数の接続面である第１面３１ａ、第２面３１ｂ、第３面３１ｃ、第４面（図１１と図１２に図示せず）を含み、第１光均一棒３１２は、第１端面３１ｄ及び第２端面３１ｅをさらに含み、前記第１端面３１ｄと前記第２端面３１ｅとは、第１光均一棒３１２の光軸方向に沿って間隔をあけて設けられ、前記第１面３１ａ、第２面３１ｂ、第３面３１ｃ及び第４面は、第１端面３１ｄと第２端面３１ｅとの間に接続され、そして、第１面３１ａと第２面３１ｂとは背向し、第３面３１ｃと第４面とは背向し、第１面３１ａは、第３面３１ｃ及び第４面と交差し、第２面３１ｂも、第３面３１ｃ及び第４面と交差する。
【００５１】
第２光均一棒３１３は、複数の接続面である第１面３１ｆ、第２面３１ｇ、第３面３１ｈ、第４面(図１１と図１２に図示せず)を含み、第２光均一棒３１３は、第１端面３１ｉ及び第２端面３１ｊをさらに含む。前記第１端面３１ｉと前記第２端面３１ｊとは、第２光均一棒３１３の光軸方向に沿って間隔をあけて設けられ、前記第１面３１ｆ、第２面３１ｇ、第３面３１ｈ及び第４面は、第１端面３１ｉと第２端面３１ｊとの間に接続され、そして、第１面３１ｆと第２面３１ｇとは背向し、第３面３１ｈと第４面とは背向し、第１面３１ｆは、第３面３１ｈ及び第４面と交差し、第２面３１ｇも、第３面３１ｈ及び第４面と交差する。
【００５２】
本実施例では、第２光均一棒３１３の第２端面３１ｊは、第２光均一棒３１３の光軸に略垂直であり、第１光均一棒３１２の第１端面３１ｄと第２端面３１ｅは、いずれも第１光均一棒３１２の光軸に略垂直であり、第１光均一棒３１２の第２端面３１ｅと第２光均一棒３１３の第２端面３１ｊは面一となり、第２光均一棒３１３の第１面３１ｆと第１光均一棒３１２の第１面３１ａとは、長さが等しいが、第２光均一棒３１３の第２面３１ｇが第１面３１ｆよりも短いため、第２光均一棒３１３の第１端面３１ｉは、第２光均一棒３１３の光軸に対して一定の角度で傾斜する。本実施例では、第２光均一棒３１３の第１端面３１ｉに内部反射膜がメッキされ、色補正ホイール３１４によって透過される原色光は第１反射鏡３１８に反射され、第２光均一棒３１３の第１面３１ｆの第１端面３１ｉに近接する部分を通って第２光均一棒３１３に入射され、そして第２光均一棒３１３の第１端面３１ｉによって反射され、最後に第２光均一棒３１３の第２端面３１ｊから空間変調器３２に出射される。
【００５３】
図１３に示すように、図１３は、図１１における第１光均一棒３１２と第２光均一棒３１３のＸＩＩＩ-ＸＩＩＩに沿った組み合わせ断面模式図である。具体的に、第１光均一棒３１２は、３つの反射鏡３１６と前記第２光均一棒３１３の１つの反射面３１７が囲むことで形成され、前記第２光均一棒３１３の反射面３１７は、同時に前記第１光均一棒３１２の第１面３１ａと第２光均一棒３１３の第１面３１ｆを構成する。本実施形態では、前記反射面３１７の前記第１端面３１ｉに近接する箇所に反射層が設けられていないことで、原色光がこの箇所から第２光均一棒３１３に入射できるようにする。他の実施例で、状況に応じて、前記反射面３１７は、すべて反射層が設けられ、或いは、原色光が入射できるように、一部に反射層が設けられなくてもよい。第１光均一棒３１２の対向する両側に設けられる２つの反射鏡３１６は、第２光均一棒３１３を囲んで対向する両側に延在し、光は、中空角棒に複数回反射されて出射される。光は、中実角棒内部で全反射されて光均一化される。
【００５４】
本実施形態では、中空棒と中実角棒との組み合わせで、前記第１光均一棒３１２と第２光均一棒３１３を形成し、中空角棒と中実角棒との接触面は、辺縁のみで厚みによる影響が存在するため、大部分の接合面で中空角棒の面による影響を受けないため、接合スリットによる影響を考慮しなくてもよい。なお、中実角棒の加工精度に対する要求も相対的に低くされてもよい。他の実施例で、無論、第１光均一棒３１２は、中実角棒であり、第２光均一棒３１３は中空角棒であってもよい。本実施例の投影システムの他の構成について詳述せず、実施例１の投影システムを参照すればよい。
【００５５】
＜実施例４＞
図１４に示すように、図１４は本発明の実施例４の投影システムの構成模式図である。本実施例では、当該投影システムは、発光装置４０、分光システム４１及び空間光変調器（図１４に図示せず）を備える。当該発光装置４０は、時系列で出射する第１光と第２光とを供給する。当該分光システム４１は、分光装置４１１、第１光路に設けられる第１光均一棒４１２及び第２光路に設けられる第２光均一棒４１３を備える。当該分光装置４１１は、色補正ホイール４１４と、色補正ホイール４１４を駆動する駆動装置４１５とを備える。前記分光装置４１１は、前記第１光分を第１原色光と第２原色光と分け、前記分光装置４１１は、さらに前記第２光を少なくとも２つの第３原色光に分ける。第１光均一棒４１２と第２光均一棒４１３とは、それぞれ２つの光通路を形成する。２つの光通路から時系列で出射する第１原色光、第２原色光和第３原色光をそれぞれ変調するために、空間光変調器は、２つの領域を含む。本実施例の投影システムが実施例３の投影システムと相違する点は、前記分光装置４１１と、前記第１光均一棒４１２及び前記第２光均一棒４１３との間に中継システム４１６が設けられていることにある。
【００５６】
具体的に、中継システム４１６は、２つの反射鏡４１７と４つの凸レンズ４１８からなる。色補正ホイール４１４によって透過される原色光は、２つの凸レンズ４１８を通って第２光均一棒４１３に入射され、当該第２光均一棒４１３は中空角棒である。色補正ホイール４１４によって反射された原色光は反射鏡４１７、他の２つの凸レンズ４１８を通って、さらに他の１つ反射鏡４１７によって第１光均一棒４１２に反射され、当該第１光均一棒４１２は中実角棒である。
【００５７】
このように、中継システム４１６で投影システムの光路を増加させて、光線が空間上で分光と光合成がより実現しやすい。本実施例の投影システムの他の構成について詳述せず、実施例１の投影システムを参照すればよい。
【００５８】
＜実施例５＞
図１５に示すように、図１５は、本発明の実施例５の投影システムの構成模式図である。本実施例では、当該投影システムは発光装置５０、分光システム５１及び空間光変調器（図１５に図示せず）を備える。当該発光装置５０は、時系列で出射する第１光と第２光とを供給する。当該分光システム５１は、分光装置５１１、第１光路に設けられる第１光均一棒５１２、及び第２光路に設けられる第２光均一棒５１３を備える。当該分光装置５１１は、色補正ホイール５１４と、色補正ホイール５１４を駆動する駆動装置５１５とを備える。前記分光装置５１１は、前記第１光を第１原色光と第２原色光とに分け、前記分光装置５１１は、さらに前記第２光を少なくとも２つの第３原色光に分ける。第１光均一棒５１２と第２光均一棒５１３とは、それぞれ２つの光通路を形成する。空間光変調器は、２つの光通路から時系列で出射された第１原色光、第２原色光及び第３原色光をそれぞれ変調するように、２つの領域を含む。前記分光装置５１１と前記第１光均一棒及び前記第２光均一棒との間に、中継システム５１６が設けられている。本実施例の投影システムが実施例４の投影システムと相違する点は、中継システム５１６が異なることである。
【００５９】
具体的に、当該中継システム５１６は、２つの反射鏡５１７と４つの凸レンズ５１８からなる。色補正ホイール５１４によって透過された原色光は、まず１つの凸レンズ５１８を通って、そして、反射鏡５１７を通って、最後に１つの凸レンズ５１８を通って第２光均一棒５１３に入射され、当該第２光均一棒５１３は中空角棒である。色補正ホイール５１４によって反射された原色光は、まず１つの凸レンズ５１８を通って、そして他の１つの反射鏡５１７を通って、最後に１つの凸レンズ５１８を通って第１光均一棒５１２に入射され、当該第１光均一棒５１２は中実角棒である。
このように、中継システム５１６で投影システムの光路を増加させて、光線は空間上で分光と光合成がより実現しやすい。無論、中継システム５１６は、上記実施形態に限らず、他の形態が用いられてもよい。本実施例の投影システムの他の構成について詳述せず、実施例１の投影システムを参照すればよい。
【００６０】
上述したように、本発明の投影システムは、少なくとも２つの光通路が設けられ、単一の空間光変調器は、同時に少なくとも２つの入射光を変調することが可能であり、このように、反射光を回収することが可能となり、分光装置による分光時に光損失を回避することができ、光エネルギーの利用率を向上させ、且つ、当該投影システムは、単一の空間光変調器のみが用いられ、構造体積が小さく、コストが低い。
【００６１】
上記実施形態は、本発明の解決手段を説明するためのものであり、本発明を限定するものではない。上記好適な実施形態を参照しながら本発明を詳細に説明したが、当業者であれば理解できるように、本発明の解決手段に対して変更又は均等的な置換を行うことは、本発明の解決手段の精神及び範囲から逸脱すべきではない。
【図１】
0006872637.tif 000002
【図２】
0006872637.tif 000003
【図３】
0006872637.tif 000004
【図４】
0006872637.tif 000005
【図５】
0006872637.tif 000006
【図６】
0006872637.tif 000007
【図７】
0006872637.tif 000008
【図８】
0006872637.tif 000009
【図９】
0006872637.tif 000010
【図１０】
0006872637.tif 000011
【図１１】
0006872637.tif 000012
【図１２】
0006872637.tif 000013
【図１３】
0006872637.tif 000014
【図１４】
0006872637.tif 000015
【図１５】
0006872637.tif 000016